(57)【要約】【課題】放射線画像撮影装置を装填させる際の移動方向と直交する方向を向いている側面にコネクターが設けられている場合でも、放射線画像撮影装置の装填時に放射線画像撮影装置のコネクターと撮影台のコネクターとを自動的に接続させることが可能な撮影台を提供する。【解決手段】撮影台１は、複数の保持部１３、１４のうち、放射線画像撮影装置Ｆの筐体ｆの一方の辺を保持する第一の保持部１３が、ホルダー１０のベース部１１に対して相対的に移動可能とされており、第一の保持部１３がホルダー１０のベース部１１に対して相対的に移動すると、コネクター１６は、放射線画像撮影装置ＦのコネクターＣｆと接続される位置から、少なくともベース部１１に対する第一の保持部１３の相対的な移動方向に直交する方向に移動して退避し、第一の保持部１３がベース部１１に対して逆方向に移動して元に戻ると、コネクター１６は反対方向に移動して元の位置に戻る。【選択図】図３
2016112153.tif 000002
【特許請求の範囲】
【請求項１】
略平板状のベース部と、
前記ベース部の手前側に放射線画像撮影装置を装填した際に、当該放射線画像撮影装置の筐体の四辺のうち少なくとも対向する二辺をそれぞれ保持する複数の保持部と、
前記ベース部の手前側に放射線画像撮影装置が装填された際に、当該放射線画像撮影装置のコネクターと接続される位置に配置されたコネクターと、
を有するホルダーを備える撮影台において、
前記複数の保持部のうち、前記放射線画像撮影装置の筐体の一方の辺を保持する第一の保持部が、前記ホルダーの前記ベース部に対して相対的に移動可能とされており、
前記第一の保持部が前記ホルダーの前記ベース部に対して相対的に移動すると、前記ホルダー側の前記コネクターを前記位置から、少なくとも前記ベース部に対する前記第一の保持部の相対的な移動方向に直交する方向に移動させて退避させ、前記第一の保持部が前記ホルダーの前記ベース部に対して逆方向に移動して元に戻ると、前記ホルダー側の前記コネクターを反対方向に移動させて元の前記位置に戻すコネクター移動機構を備えることを特徴とする撮影台。
【請求項２】
移動可能な前記第一の保持部は、前記放射線画像撮影装置の筐体の、前記一方の辺とは反対側の他方の辺を保持する第二の保持部に向かう方向に付勢されていることを特徴とする請求項１に記載の撮影台。
【請求項３】
前記放射線画像撮影装置を前記第一の保持部に嵌め込み、前記放射線画像撮影装置により前記第一の保持部を前記ベース部に対して相対的に下方向に移動させることにより、前記放射線画像撮影装置を前記ホルダーに装填することができるように構成されていることを特徴とする請求項１または請求項２に記載の撮影台。
【請求項４】
前記コネクター移動機構は、前記ホルダーの前記ベース部に配置されたガイド板を備え、
前記ガイド板は、周縁部の一部が前記ホルダーの前記ベース部に対する前記第一の保持部の相対的な移動方向に対して傾斜するように形成された開口部を有しており、
前記ホルダー側の前記コネクターの背面側への突出部が、前記ガイド板の前記開口部の傾斜した周縁部に当接しており、
前記第一の保持部が前記ホルダーの前記ベース部に対して相対的に移動すると、前記突出部が前記傾斜した周縁部に沿って移動することで、前記ホルダー側の前記コネクターが前記位置から前記方向に移動して退避し、
前記第一の保持部が付勢力により前記ホルダーの前記ベース部に対して逆方向に移動して元に戻ると、前記突出部が前記傾斜した周縁部に沿って反対方向に移動することで、前記ホルダー側の前記コネクターが反対方向に移動して元の前記位置に戻ることを特徴とする請求項１から請求項３のいずれか一項に記載の撮影台。
【請求項５】
前記ホルダーの前記ベース部の前面側に、前記ベース部に対してそれぞれ左右方向に移動可能とされた平板状の左トレイおよび右トレイが左右方向に並設されて配置されており、
前記左トレイの左端部分および前記右トレイの右端部分には、前記ホルダーに装填された前記放射線画像撮影装置の左右方向への移動を規制する規制板がそれぞれ取り付けられており、
前記左トレイおよび前記右トレイを、前記ベース部に対する左右方向の所定の位置でそれぞれ位置固定可能とすることで、前記ホルダーに、異なるサイズの前記放射線画像撮影装置を装填可能とされていることを特徴とする請求項１から請求項４のいずれか一項に記載の撮影台。
【請求項６】
前記左トレイおよび前記右トレイにそれぞれ前記第一の保持部が設けられており、
前記左トレイおよび前記右トレイを前記ベース部に対する左右方向の所定の位置でそれぞれ位置固定するためのレバーが、前記左トレイおよび前記右トレイにそれぞれ設けられた前記第一の保持部に、またはそれらの近傍にそれぞれ設けられており、
前記第一の保持部を把持すると同時に前記レバーを操作して前記位置固定を解除することができるように構成されていることを特徴とする請求項５に記載の撮影台。
【請求項７】
前記ベース部の中心点を中心として前記ホルダーを回転させることで、前記ホルダーに装填された前記放射線画像撮影装置の配置を、縦向き中央と、横向き中央と、横向き上方との間で変更可能とされていることを特徴とする請求項１から請求項６のいずれか一項に記載の撮影台。
【発明の詳細な説明】
【技術分野】
【０００１】
本発明は、撮影台に係り、特に、放射線画像撮影装置を装填可能な撮影台に関する。
【背景技術】
【０００２】
近年、放射線検出素子を二次元状に配列し、放射線源から照射され被写体を透過した放射線に応じて放射線検出素子内で発生した電荷を読み出して画像データを生成する放射線画像撮影装置（Flat Panel Detector）が種々開発されており、病院等の施設で放射線画像撮影に用いられている。また、近年、放射線検出素子等が形成されたセンサー基板等を筐体内に収納し、持ち運び可能とした可搬型の放射線画像撮影装置が開発され、実用化されている。
【０００３】
そして、可搬型の放射線画像撮影装置は、撮影台のブッキーに装填された状態で使用することもでき、また、撮影台に装填されずに患者の身体等に直接あてがう等して使用することもできるようになっており、従来のＣＲ（Computed Radiography）カセッテと同様の使い方ができるという特徴がある。
【０００４】
しかし、その一方で、可搬型の放射線画像撮影装置（以下、単に放射線画像撮影装置という。）は、撮影台に装填する際に、放射線画像撮影装置のコネクターと撮影台のコネクターとを接続しなければならない等の特徴を有している。そのため、従来は、放射線技師等が放射線画像撮影装置を撮影台のブッキーに装填した後で、放射線画像撮影装置のコネクターと撮影台のコネクターを手動で接続していた。
【０００５】
なお、放射線画像撮影装置を撮影台のブッキー内に装填した場合の配置について、例えば図１２に示すように、放射線画像撮影装置Ｆを撮影台１００のブッキー１０１内に縦向きかつ左右方向の中央の位置に装填した場合の配置を、以下、縦向き中央（Portrait）という。また、図１３（Ａ）に示すように、放射線画像撮影装置Ｆをブッキー１０１内に横向きかつ上端側の位置に装填した場合の配置を、以下、横向き上方（Landscape top）といい、図１３（Ｂ）に示すように、横向きかつ上下方向の中央の位置に装填した場合の配置を、以下、横向き中央（Landscape center）という。
【０００６】
そして、例えば特許文献１に記載された撮影台では、放射線画像撮影装置をブッキー内に縦向き中央に装填する際に、ブッキー内に、水平方向を向くように撮影台のコネクターを予め配置しておく。そして、放射線技師等が、縦向きにした放射線画像撮影装置を略水平方向に平行移動させるようにしてブッキー内に装填すると、装填された放射線画像撮影装置の長辺側の側面（すなわち略垂直方向に延在する側面）に設けられたコネクターと、撮影台のコネクターとが自動的に接続されることが記載されている。
【０００７】
また、例えば特許文献２に記載された撮影台では、放射線画像撮影装置をブッキー内に縦向き中央に装填する際に、ブッキー内に、上方を向くように撮影台のコネクターを予め配置しておく。そして、放射線技師等が、縦向きにした放射線画像撮影装置を上方から下向きに平行移動させるようにしてブッキー内に装填すると、装填された放射線画像撮影装置の短辺側の側面（すなわち略水平方向に延在する側面）に設けられたコネクターと、撮影台のコネクターとが自動的に接続されることが記載されている。
【先行技術文献】
【特許文献】
【０００８】
【特許文献１】特開２０１２−３３０号公報
【特許文献２】特開２０１３−８１７６８号公報
【発明の概要】
【発明が解決しようとする課題】
【０００９】
このように、特許文献１、２に記載された従来の撮影台では、いずれも、放射線画像撮影装置を装填させる際の移動方向の延長線上に撮影台のコネクターを予め配置しておくことで、放射線画像撮影装置の移動方向先端側の側面（すなわち特許文献１では長辺側の側面、特許文献２では短辺側の側面）に設けられたコネクターと、撮影台のコネクターとの自動的な接続を実現させていた。
【００１０】
しかしながら、特許文献１、２に記載された従来の撮影台では、例えば、放射線画像撮影装置の、移動方向に直交する方向を向いている側面（すなわち特許文献１では略水平方向に延在する短辺側の側面、特許文献２では略垂直方向に延在する長辺側の側面）にコネクターが設けられている場合には、放射線画像撮影装置の移動方向先端側の側面にコネクターが設けられていない状態になるため、放射線画像撮影装置を上記のように移動させてブッキー内に装填するだけでは放射線画像撮影装置のコネクターと撮影台のコネクターとが接続されない。
【００１１】
そのため、このような場合には、前述した従来の場合と同様に、放射線技師等が、放射線画像撮影装置を撮影台のブッキーに装填してから、放射線画像撮影装置のコネクターと撮影台のコネクターとを手動で接続せざるを得なかった。
【００１２】
本発明は、上記の問題点を鑑みてなされたものであり、装填させる際の移動方向と直交する方向を向いている側面にコネクターが設けられている放射線画像撮影装置を装填する際に、放射線画像撮影装置のコネクターと撮影台のコネクターとを自動的に接続させることが可能な撮影台を提供することを目的とする。
【課題を解決するための手段】
【００１３】
前記の問題を解決するために、本発明の撮影台は、
略平板状のベース部と、
前記ベース部の手前側に放射線画像撮影装置を装填した際に、当該放射線画像撮影装置の筐体の四辺のうち少なくとも対向する二辺をそれぞれ保持する複数の保持部と、
前記ベース部の手前側に放射線画像撮影装置が装填された際に、当該放射線画像撮影装置のコネクターと接続される位置に配置されたコネクターと、
を有するホルダーを備える撮影台において、
前記複数の保持部のうち、前記放射線画像撮影装置の筐体の一方の辺を保持する第一の保持部が、前記ホルダーの前記ベース部に対して相対的に移動可能とされており、
前記第一の保持部が前記ホルダーの前記ベース部に対して相対的に移動すると、前記ホルダー側の前記コネクターを前記位置から、少なくとも前記ベース部に対する前記第一の保持部の相対的な移動方向に直交する方向に移動させて退避させ、前記第一の保持部が前記ホルダーの前記ベース部に対して逆方向に移動して元に戻ると、前記ホルダー側の前記コネクターを反対方向に移動させて元の前記位置に戻すコネクター移動機構を備えることを特徴とする。
【発明の効果】
【００１４】
本発明のような方式の撮影台によれば、装填させる際の移動方向と直交する方向を向いている側面にコネクターが設けられている放射線画像撮影装置を撮影台に装填する際に、放射線画像撮影装置のコネクターと撮影台のコネクターとを自動的に接続させることが可能となる。
【図面の簡単な説明】
【００１５】
【図１】本実施形態に係る撮影台の外観を示す斜視図であり、ブッキーから引き出しトレイが引き出された状態を表す図である。
【図２】放射線画像撮影装置を表す図である。
【図３】放射線画像撮影装置のホルダーへの装填時の状態を表す図であり、（Ａ）は放射線画像撮影装置で第一の保持部を押し下げた状態、（Ｂ）は放射線画像撮影装置が押し上げられて第二の保持部に嵌め込まれた状態を表す。
【図４】コネクター移動機構の構成を表す図であり、（Ａ）は放射線画像撮影装置により第一の保持部やスライドベースが押し下げられる前の状態、（Ｂ）は押し下げられた後の状態を表す。
【図５】コネクター移動機構の別の構成を説明するための概略図である。
【図６】撮影台の引き出しトレイを背面側から見た図であり、舌状部材やスロット等の構成を説明するための図である。
【図７】（Ａ）ホルダーが左回りに９０°回転されて横向き中央の配置になった放射線画像撮影装置、および（Ｂ）ホルダーが右回りに９０°回転されて横向き上方の配置になった放射線画像撮影装置等を表す図である。
【図８】回転ベースやスライドベースの前面側に並設された左右のトレイ等を表す図である。
【図９】左トレイの第一の保持部やレバー等の部分を回転ベースの背面側から見た概略図である。
【図１０】（Ａ）左右方向に移動中の左右のトレイ等を表す図であり、（Ｂ）左右のトレイが所定の位置で位置固定されてレバーが元の下方の位置に戻った状態を表す図である。
【図１１】コネクター移動機構のガイド板が右トレイの移動にあわせて右方向に移動した状態を表す図である。
【図１２】撮影台のブッキー内での放射線画像撮影装置の縦向き中央の配置を説明する図である。
【図１３】撮影台のブッキー内での放射線画像撮影装置の（Ａ）横向き上方の配置および（Ｂ）横向き中央の配置を説明する図である。
【発明を実施するための形態】
【００１６】
以下、本発明に係る撮影台の実施の形態について、図面を参照して説明する。図１は、本実施形態に係る撮影台の構成を示す斜視図であり、ブッキーから引き出しトレイが引き出された状態を表している。なお、図１では、撮影台１の後述するホルダー１０に放射線画像撮影装置Ｆ（後述する図２等参照）が装填される前の状態が示されている。本実施形態では、撮影台１は、ブッキー２と、ブッキー２を昇降可能に支持するスタンド３等を備えて構成されている。
【００１７】
なお、以下では、図１に示すように撮影台１が立位撮影用の撮影台である場合について説明するが、臥位撮影用の撮影台（図示省略）である場合も同様に説明される。また、その場合にも本発明を適用することが可能である。また、以下では、撮影台１のブッキー２内の各部材等について説明する際、図１における部材の手前側を、部材の前面側や前方等といい、図１における部材の奥側を、部材の背面側等という。
【００１８】
本実施形態では、撮影台１のブッキー２内には、引き出しトレイ４が、図示しないレールに沿ってブッキー２から引き出したりブッキー２内に押し込んで収納させたりすることができる状態で配置されている。そして、引き出しトレイ４には、引き出しトレイ４の引き出し、収納の際に放射線技師等が把持するためのハンドル５が取り付けられている。
【００１９】
［ホルダーの構成について］
引き出しトレイ４の前面側には、装填された放射線画像撮影装置Ｆを保持するホルダー１０が設けられている。ホルダー１０は、主に、回転ベース１１と、スライドベース１２と、第一の保持部１３と、第二の保持部１４と、規制板１５と、コネクター１６とを備えている。なお、図１や以下の各図では、コネクター１６のケーブル１６ａの記載が途中から省略されているが、実際にはケーブル１６ａは引き出しトレイ４の背面側に引き回されてブッキー２内に延びるように配設されている。
【００２０】
回転ベース１１は、後述するスライドベース１２よりも一回り大きい略平板状に形成されており、ホルダー１０のベース部として機能するようになっている。なお、本実施形態では、後述するように、回転ベース１１を回転させることでホルダー１０全体を回転させることができるようになっており、ホルダー１０を９０°回転させることで、ホルダー１０に装填された放射線画像撮影装置Ｆの配置を縦向き中央（図１２参照）から横向き上方（図１３（Ａ）参照）に変え、ホルダー１０を逆向きに９０°回転させることで、ホルダー１０に装填された放射線画像撮影装置Ｆの配置を縦向き中央から横向き中央（図１３（Ｂ）参照）に変えることができるようになっている。
【００２１】
また、以下の説明においてホルダー１０を構成する各部材やその動きにおける方向を説明する場合、上下方向は、ホルダー１０が図１に示すように縦向き中央に配置されている状態における上下方向として説明し、左右方向は、ホルダー１０が同様に配置されている際に、図面の手前側から見た場合（すなわち図示しない放射線源側からホルダー１０を見た場合）における、向かって左側や右側等を、左側や右側等として説明する。
【００２２】
スライドベース１２は、本実施形態では１４×１７インチの放射線画像撮影装置Ｆとほぼ同形の矩形の平板状に形成されている。スライドベース１２は、回転ベース１１の前面側に取り付けられており、回転ベース１１に対して相対的に上下方向に移動可能とされている。また、スライドベース１２は、例えば回転ベース１１の背面側等に設けられた図示しないバネ等により上方に付勢されている。
【００２３】
第一の保持部１３（パネル受け部等ともいう。）は、スライドベース１２の下端部分に取り付けられている。第一の保持部１３をスライドベース１２の下端部分に一体的に設けることも可能である。そして、第一の保持部１３は、スライドベース１２が回転ベース１１に対して相対的に上下方向に移動すると、それとともに回転ベース１１に対して相対的に上下に移動するようになっている。また、スライドベース１２が上方に付勢されているため、第一の保持部１３も上方（すなわち第二の保持部１４に向かう方向）に付勢された状態になっている。
【００２４】
また、第一の保持部１３は、上方が開口した断面コ字状（或いは断面Ｌ字状）に形成されており、スライドベース１２の前面側に放射線画像撮影装置Ｆを縦向き中央に装填した際に（後述する図３（Ｂ）等参照）、放射線画像撮影装置Ｆの筐体の下側の短辺の部分に係止して、放射線画像撮影装置Ｆの下側端部を保持するようになっている。なお、放射線画像撮影装置Ｆのホルダー１０への装填の際のスライドベース１２や第一の保持部１３の動作や、それと同時にコネクター１６が退避すること等については、後で説明する。
【００２５】
第二の保持部１４は、回転ベース１１の上端部分に取り付けられている。第二の保持部１４を回転ベース１１の上端部分に一体的に設けることも可能である。そして、第二の保持部１４はこのように回転ベース１１に取り付けられているため、上記のようにスライドベース１２が回転ベース１１に対して相対的に上下方向に移動しても、第二の保持部１４は移動しない。
【００２６】
また、第二の保持部１４は、下方が開口した断面コ字状（或いはＬ字状）に形成されており、ホルダー１０に放射線画像撮影装置Ｆを縦向き中央に装填した際に、放射線画像撮影装置Ｆの筐体の上側の短辺の部分に係止して、放射線画像撮影装置Ｆの上側端部を保持するようになっている。
【００２７】
そして、第一の保持部１３と第二の保持部１４が放射線画像撮影装置Ｆの下端側と上端側にそれぞれ係止されることにより、ホルダー１０に装填された放射線画像撮影装置Ｆが前面側に外れてしまうことが阻止される。また、前述したように、第一の保持部１３が上方に付勢されていることにより第一の保持部１３と第二の保持部１４で放射線画像撮影装置Ｆを上下から挟持することにより、放射線画像撮影装置Ｆがホルダー１０に保持されるようになっている。
【００２８】
規制板１５は、スライドベース１２の左右の端部部分に、前方に突出するように取り付けられた平板状の部材であり、ホルダー１０に装填された放射線画像撮影装置Ｆの位置が左右方向にずれないようにするために放射線画像撮影装置Ｆの左右方向への移動を規制するようになっている。
【００２９】
コネクター１６は、スライドベース１２の前面側の位置であって、スライドベース１２の前面側に放射線画像撮影装置Ｆを装填した際に、放射線画像撮影装置Ｆの筐体ｆの側面に設けられたコネクターＣｆ（図２参照）と接続される位置に配置されている。なお、上記のようにコネクター１６をいわば裸の状態で配置する代わりに、図示を省略するが、例えば上記の位置にコネクター用のホルダーを配置しておき、このコネクター用のホルダーにコネクター１６を嵌め込む等して配置するように構成することも可能である。このように構成する場合は、後述するコネクター１６の移動と同様に、コネクター用のホルダーが上記の位置から右方向に移動することでコネクター１６を退避させたり、或いはコネクター用のホルダーが左側に移動することでコネクター１６の位置を元に戻すように構成される。
【００３０】
そして、コネクター１６は、上記のように第一の保持部１３がスライドベース１２とともに回転ベース１１に対して相対的に下方向に移動すると上記の位置から右方向（すなわち回転ベース１１に対する第一の保持部１３の相対的な移動方向に直交する方向）に移動して退避する。そして、第一の保持部１３が付勢力により回転ベース１１に対して上方向に移動して元に戻ると左方向に移動して元の位置に戻るようになっている。
【００３１】
そして、このように構成することで、放射線画像撮影装置Ｆをホルダー１０に装填する際、図３（Ａ）に示すように、図示しない放射線技師等が放射線画像撮影装置Ｆの下端部分を第一の保持部１３に嵌め込み、そのまま放射線画像撮影装置Ｆで第一の保持部１３を下方に押し下げ、スライドベース１２を回転ベース１１に対して下方に押し下げると、その動きにあわせてコネクター１６が上記の位置から右方向に移動して退避する。
【００３２】
そして、放射線技師等が放射線画像撮影装置Ｆで第一の保持部１３を押し下げる力を緩めると、第一の保持部１３およびスライドベース１２が前述したバネ等の付勢力で上方に移動して、放射線画像撮影装置Ｆを上方に押し上げる。そして、図３（Ｂ）に示すように、放射線画像撮影装置Ｆの上端部分が第二の保持部１４に嵌め込まれ、放射線画像撮影装置Ｆが第一、第二の保持部１３、１４で上下から挟持されてホルダー１０に保持される状態になると同時に、コネクター１６が左側に移動してコネクター１６の位置が元の位置に戻り、放射線画像撮影装置ＦのコネクターＣｆとホルダー１０のコネクター１６（すなわち撮影台１のコネクター１６。以下同じ。）とが自動的に接続されるようになっている。
【００３３】
なお、放射線画像撮影装置Ｆの下端部分をホルダー１０の第一の保持部１３に嵌め込んだだけではホルダー１０のコネクター１６が退避しないため、放射線画像撮影装置Ｆとホルダー１０のコネクター１６との干渉を避けるため、図３（Ａ）に示したように、放射線画像撮影装置Ｆをやや前方に傾けるようにすることが必要となる。しかし、放射線画像撮影装置Ｆで第一の保持部１３を押し下げるとコネクター１６が右方向に退避して両者が干渉しなくなるため、放射線画像撮影装置Ｆをスライドベース１２に平面的に当接させることが可能となる。そして、その状態で、上記のように放射線技師等が押し下げる力を緩めると、第一の保持部１３により放射線画像撮影装置Ｆが上方に押し上げられて、図３（Ｂ）に示すように、放射線画像撮影装置Ｆの上端部分が第二の保持部１４に嵌め込まれる。
【００３４】
［コネクター移動機構の構成について］
以下、このようにコネクター１６を第一の保持部１３やスライドベース１２の移動にあわせて移動させてコネクター１６を退避させたり元の位置に戻したりするための機構、すなわちコネクター移動機構について説明する。
【００３５】
図４（Ａ）は、コネクター移動機構２０の構成を表す図であり、ホルダー１０のコネクター１６の部分を回転ベース１１の背面側から見た拡大図である。従って、図４（Ａ）、（Ｂ）では、図の手前側がホルダー１０の背面側、図の奥側がホルダー１０の前面側に対応する。また、図の左側や左方向がホルダー１０の右側や右方向に対応し、図の右側や右方向がホルダー１０の左側や左方向に対応する。すなわち、説明における左右と、図中における左右が逆になる。
【００３６】
コネクター移動機構２０は、略平板状のガイド板２１を備えており、ガイド板２１は、回転ベース１１の背面側に配置されている。なお、以下では、ガイド板２１が回転ベース１１の背面に固定されているものとして説明する。ガイド板２１を回転ベース１１の背面側に固定しない構成例については、後で説明する。そして、ガイド板２１は、金属板等の硬い材料で形成されており、開口部が種々設けられている。
【００３７】
ガイド板２１の右端近傍の上下の部分には、第一開口部２２がそれぞれ設けられている。そして、各第一開口部２２の周縁部の一部２２ａはそれぞれ、左上から右下に向かう直線状に傾斜した形状とされている。以下、この部分を第一開口部２２の傾斜部２２ａという。そして、ガイド板２１の各第一開口部２２には、コネクター１６から背面側に突出された雄ネジ部１６ｂがそれぞれ挿入されており、これらの雄ネジ部１６ｂが、各第一開口部２２の傾斜部２２ａにそれぞれ当接している。実際には、各雄ネジ部１６ｂには図示しないブッシュが被せられており、各雄ネジ部１６ｂは、ブッシュを介して各第一開口部２２の傾斜部２２ａに当接している。
【００３８】
なお、スライドベース１２には、各ガイド孔１２ａが左右方向に直線状に穿設されている。そして、各雄ネジ部１６ｂは、各ガイド孔１２ａにもそれぞれ挿入されており、それぞれ各ガイド孔１２ａに沿って移動することができるようになっている。そのため、各雄ネジ部１６ｂやコネクター１６は、スライドベース１２に対して相対的に左右方向に移動するようになっている。
【００３９】
また、各雄ネジ部１６ｂは、ガイド板２１の背面側に設けられた板状部材２３（図中の一点鎖線参照。なお後述する図４（Ｂ）では図示省略）に設けられた図示しない孔にそれぞれ挿入されており、板状部材２３から背面側に突出した各雄ネジ部１６ｂに六角ナット等をそれぞれ螺着させることで、コネクター１６と板状部材２３とが共締めされている。
【００４０】
なお、本実施形態では、上記のように、コネクター１６と板状部材２３とを共締めするために、コネクター１６から背面側に突出させる部分（すなわち突出部）を雄ネジ部１６ｂとしているが、コネクター１６と板状部材２３とを共締めするように構成しない場合等には、コネクター１６の背面側への突出部は、単なる突起等であってもよい。また、本実施形態では、上記のようにコネクター１６と板状部材２３とは共締めされているが、ブッシュが長く形成されているため、ガイド板２１と板状部材２３とは接しておらず、両者の間に隙間が設けられている。そのため、後述するように、コネクター１６や板状部材２３等がガイド板２１に対して動くことができるようになっている。
【００４１】
ガイド板２１の各第一開口部２２の左側の上下には、各第二開口部２４がそれぞれ上下方向に直線状に穿設されている。そして、各第二開口部２４には、スライドベース１２から背面側に突設された突起１２ｂがそれぞれ挿入されており、各突起１２ｂは、それぞれ各第二開口部２４に沿って上下方向に移動可能とされている。
【００４２】
そして、各突起１２ｂには、各バネ２５の一端側（すなわち左端側）がそれぞれ固定されており、各バネ２５の他端側（すなわち右端側）が板状部材２３に固定されている。すなわち、板状部材２３やそれと共締めされたコネクター１６は、これらの各バネ２５により左向きに付勢されている。
【００４３】
ガイド板２１の各第二開口部２４のさらに左側の上下には、各第三開口部２６がそれぞれ上下方向に延びる直線状に穿設されている。そして、各第三開口部２６には、スライドベース１２から背面側に突設されたピン１２ｃがそれぞれ挿入されており、各ピン１２ｃは、上記の各突起１２ｂと同様に、それぞれ各第三開口部２６に沿って上下方向に移動可能とされている。
【００４４】
そして、各ピン１２ｃの背面側の端部には、第三開口部２６の横幅よりも大径の係合部１２ｄがそれぞれ設けられており、各ピン１２ｃの係合部１２ｄがそれぞれ第三開口部２６の周縁部と係合することで、スライドベース１２とガイド板２１とが離間しないようになっている。なお、第四開口部２７や各ピン１１ａ等は、上記のコネクター１６を移動させるための機構とは直接的には関係がなく、前述したように、ガイド板２１を回転ベース１１の背面側に固定しない場合の構成例で必要になる構成であるから、後で説明する。
【００４５】
［作用］
次に、本実施形態に係る撮影台１の作用について説明する。特に、コネクター移動機構２０を含むホルダー１０の作用について説明する。
【００４６】
コネクター移動機構２０は、ホルダー１０に放射線画像撮影装置Ｆが装填される前の図１に示した状態では、図４（Ａ）に示した状態になっている。その状態から、図３（Ａ）に示したように、放射線技師等が放射線画像撮影装置Ｆの下端部分を第一の保持部１３に嵌め込み、そのまま放射線画像撮影装置Ｆで第一の保持部１３を下方に押し下げると、回転ベース１１は下方に移動しないが、スライドベース１２は回転ベース１１に対して下方に押し下げられる。
【００４７】
そのため、コネクター移動機構２０では、ガイド板２１は回転ベース１１に固定されているため下方に移動せず、ガイド板２１に設けられた第一開口部２２や第二開口部２４、第三開口部２６も下方に移動しないが、スライドベース１２に設けられたガイド孔１２ａや突起１２ｂ、ピン１２ｃは下方に移動する。そのため、図４（Ｂ）に示すように、スライドベース１２の突起１２ｂやピン１２ｃがそれぞれ第二開口部２４や第三開口部２６内をそれらの開口部に沿って下方向に移動する。そのため、スライドベース１２は、回転ベース１２に対して鉛直下方に（すなわち左右方向には移動せずに下方に）移動する状態になる。
【００４８】
また、スライドベース１２に設けられたガイド孔１２ａも鉛直下方に移動するため、コネクター１６から背面側に突設された雄ネジ部１６ｂも移動するガイド孔１２ａの周縁部に押されて下方に移動する。しかし、コネクター１６の雄ネジ部１６ｂは、上記のように、ガイド板２１の第一開口部２２の傾斜部２２ａに当接しており、上記のようにガイド板２１は下方には移動しないため、コネクター１６の雄ネジ部１６ｂは、スライドベース１２のガイド孔１２ａの周縁部に押されて下方に移動しつつ、かつ、第一開口部２２の傾斜部２２ａの傾斜により右方向（図４（Ａ）、（Ｂ）では左方向）に移動する。
【００４９】
そのため、放射線画像撮影装置Ｆ（図３（Ａ）参照）により第一の保持部１３を下方に押し下げられると、コネクター移動機構２０が図４（Ｂ）に示した状態になり、コネクター１６が右方向に移動する（正確には右下の方向に移動する。）。このようにして、コネクター１６が元の位置から右方向に移動して、装填される放射線画像撮影装置Ｆにぶつからないように退避する。
【００５０】
一方、その際、コネクター１６が右方向に移動するが、スライドベース１２の突起１２ｂは左右方向には移動せず下方に移動するだけであるため、バネ２５が伸び、板状部材２３や雄ネジ部１６ｂを介してコネクター１６を左方向に付勢する力が増す（或いは付勢する力が生じる。）。
【００５１】
放射線技師等は、このようにして放射線画像撮影装置Ｆの下端部分を第一の保持部１３に嵌め込んで第一の保持部１３を下方に押し下げると（図３（Ａ）参照）、今度は、放射線画像撮影装置Ｆで第一の保持部１３を押し下げる力を緩め、放射線画像撮影装置Ｆをスライドベース１２に平面的に当接させた状態で、前述したバネ等の付勢力で上方に移動する第一の保持部１３の力を利用して放射線画像撮影装置Ｆを上方に押し上げさせる。そして、図３（Ｂ）に示したように、放射線画像撮影装置Ｆの上端部分を第二の保持部１４に嵌め込んで、放射線画像撮影装置Ｆをホルダー１０に保持する。
【００５２】
その際、前述したバネ等の付勢力で第一の保持部１３やスライドベース１２が回転ベース１１に対して上方に移動するため、ガイド孔１２ａ（図４（Ａ）参照）も上方に移動するが、バネ２５が設けられていないと、コネクター１６の雄ネジ部１６ｂは図４（Ｂ）に示した状態から鉛直上方に移動するだけであり、コネクター１６も鉛直上方にしか移動しない。そのため、コネクター１６が左方向に移動しないため元に位置に戻らなくなり、装填された放射線画像撮影装置Ｆに接近しないため、コネクター１６を放射線画像撮影装置ＦのコネクターＣｆに自動的に接続させることができない。
【００５３】
しかし、本実施形態では、上記のように、バネ２５が設けられており、板状部材２３や雄ネジ部１６ｂを介してコネクター１６が左方向に付勢されているため、上記のようにスライドベース１２が回転ベース１１に対して上方に移動して、ガイド孔１２ａが上方に移動すると、コネクター１６の雄ネジ部１６ｂが第一開口部２２の傾斜部２２ａに沿って斜め上方（すなわち右下から左上に向かう方向）に移動するようになる。
【００５４】
そのため、第一の保持部１３やスライドベース１２が回転ベース１１に対して上方に移動するとコネクター１６が左方向に移動して元に位置に戻るようになる。コネクター移動機構２０は、このようにして、コネクター１６を左方向に移動させて元に位置に戻すことで、コネクター１６を放射線画像撮影装置ＦのコネクターＣｆに自動的に接続させるようになっている。
【００５５】
本実施形態では、以上のように、図３（Ａ）に示したように、放射線技師等が放射線画像撮影装置Ｆの下端部分を第一の保持部１３に嵌め込んで第一の保持部１３を下方に押し下げることで、第一の保持部１３が回転ベース１１（ホルダー１０のベース部）に対して相対的に移動すると、コネクター移動機構２０は、コネクター１６を、放射線画像撮影装置Ｆが装填された際に放射線画像撮影装置ＦのコネクターＣｆと接続される位置から、右方向（すなわち回転ベース１１に対する第一の保持部１３の相対的な移動方向（下方向）に直交する方向）に移動させて、コネクター１６が、装填される放射線画像撮影装置Ｆにぶつからないように退避させる。
【００５６】
そして、放射線技師等が放射線画像撮影装置Ｆで第一の保持部１３を押し下げる力を緩めて、図３（Ｂ）に示したように、第一の保持部１３が付勢力により回転ベース１１に対して逆方向（上方向）に移動して元の位置に戻ると、コネクター移動機構２０は、コネクター１６を反対方向（左方向）に移動させて元の位置に戻すことで、コネクター１６と放射線画像撮影装置ＦのコネクターＣｆとを自動的に接続させるようになっている。
【００５７】
なお、本実施形態では、装填時に放射線画像撮影装置Ｆによりホルダー１０の第一の保持部１３とスライドベース１２とが押し下げられると、コネクター１６は、図４（Ａ）、（Ｂ）に示したように、実際には右方向ではなく、ガイド板２１の第一開口部２２の傾斜部２２ａの傾斜に沿って右下の方向（すなわち斜め下の方向）に移動して退避する。そのため、放射線画像撮影装置Ｆの装填時のコネクター１６の移動方向は、正確に言えば、回転ベース１１（ホルダーのベース部）に対する第一の保持部１３の相対的な移動方向（上記の場合は下方向）に直交する方向ではなく、相対的な移動方向に対して斜めの方向である。
【００５８】
しかし、その場合でも、コネクター１６は、回転ベース１１（ホルダーのベース部）に対する第一の保持部１３の相対的な移動方向（上記の場合は下方向）に平行な方向にのみ移動するのではなく、少なくともそれに直交する方向にも移動することになる。
【００５９】
［効果］
以上のように、本実施形態に係る撮影台１によれば、図３（Ａ）、（Ｂ）に示したように、ホルダー１０に放射線画像撮影装置Ｆを装填させる際の放射線画像撮影装置Ｆの移動方向（鉛直方向）と直交する方向を向いている側面にコネクターＣｆが設けられている場合であっても、放射線画像撮影装置Ｆをホルダー１０に装填する際に、ホルダー１０側のコネクター１６を放射線画像撮影装置Ｆの装填の邪魔にならないように左右方向に退避させ、しかも、放射線画像撮影装置Ｆがホルダー１０に装填された際には、ホルダー１０側のコネクター１６を左右方向に移動させて自動的に元の位置に戻して、放射線画像撮影装置ＦのコネクターＣｆとホルダー１０側のコネクター１６とを自動的に接続させることが可能となる。
【００６０】
そのため、撮影台１のホルダー１０のコネクター１６が、放射線画像撮影装置Ｆをホルダー１０に装填させる際の移動方向の延長線上に配置されていない場合であっても、従来のように、放射線技師等が放射線画像撮影装置ＦのコネクターＣｆと撮影台１のコネクター１６とを手動で接続しなくてもよくなり、撮影台１を、放射線技師等にとって非常に使い勝手が良いものとすることが可能となる。
【００６１】
なお、本実施形態では、撮影台１のホルダー１０に放射線画像撮影装置Ｆを装填する場合について説明したが、同じ構成を用いて、ホルダー１０から放射線画像撮影装置Ｆを取り外す場合も、ホルダー１０のコネクター１６を、放射線画像撮影装置ＦのコネクターＣｆから自動的に取り外すことが可能となる。
【００６２】
すなわち、図３（Ｂ）に示したようにホルダー１０に装填されている放射線画像撮影装置Ｆの左右端を持って下方向に押し下げると、前述したように、コネクター移動機構２０によりコネクター１６が自動的に右方向に移動するため、コネクター１６が放射線画像撮影装置ＦのコネクターＣｆから離れる。そして、その状態で、図３（Ａ）に示したように放射線画像撮影装置Ｆを前方側に若干傾けて上方に引き抜くことで、ホルダー１０のコネクター１６が放射線画像撮影装置Ｆの引き抜きを邪魔しない状態で、放射線画像撮影装置Ｆをホルダー１０から取り外すことが可能となる。
【００６３】
このように、本実施形態に係る撮影台１は、放射線画像撮影装置Ｆの装填時のみならず放射線画像撮影装置Ｆの取り外しの際にも、ホルダー１０のコネクター１６を放射線画像撮影装置ＦのコネクターＣｆに自動的に着脱させることが可能となる。また、それとともに、放射線画像撮影装置Ｆの装填時や取り外し時の移動方向とは直交する方向にコネクター１６が移動して退避するため、放射線画像撮影装置Ｆの移動（装填または取り外し）を邪魔することなくコネクター１６の着脱を行うことが可能となる。
【００６４】
［変形例１］
なお、上記の実施形態では、図２に示したように、放射線画像撮影装置Ｆの直方体の筐体ｆのうち長辺側の側面にコネクターＣｆが形成されている場合について説明したが、図示を省略するが、例えば前述した特許文献２に示されているように、放射線画像撮影装置Ｆの直方体の筐体ｆの短辺側の側面にコネクターＣｆが形成されている場合もある。そして、このような放射線画像撮影装置Ｆを装填する場合には、撮影台１のホルダー１０を、図１や図３（Ａ）、（Ｂ）に示したホルダー１０の縦横の比率を替えればよい。
【００６５】
すなわち、例えば図１等に示したホルダー１０に１４×１７インチの放射線画像撮影装置Ｆを縦向きに装填する場合には、ホルダー１０は、縦の長さが約１７インチ、横の長さが約１４インチに形成されるが、それを、第一の保持部１３や第二の保持部１４、コネクター１６等の位置関係はそのままで、縦の長さが約１４インチ、横の長さが約１７インチになるように形成すればよい。なお、コネクター１６は、１４×１７インチの放射線画像撮影装置Ｆが横向きに装填された際に、その短辺側の側面に設けられたコネクターＣｆと接続される位置に配置される。
【００６６】
この場合、上記の実施形態では、図３（Ａ）に示したように例えば１４×１７インチの放射線画像撮影装置Ｆが縦向き中央の配置になるようにホルダー１０に装填されたが、この変形例１の場合には、例えば１４×１７インチの放射線画像撮影装置Ｆが横向き中央や横向き上方の配置になるようにホルダー１０に装填されることになる。
【００６７】
また、他のサイズの放射線画像撮影装置Ｆを縦向きや横向きに装填する場合も、撮影台１を上記の実施形態やこの変形例１と同様に構成することが可能であり、これらの場合についても本発明を適用することが可能である。また、１台の撮影台１で、異なるサイズの放射線画像撮影装置Ｆを装填する場合や、放射線画像撮影装置Ｆを縦向きにも横向きにも装填することができるようにするために、例えば、ホルダー１０の縦横の長さや比率等を変えることができるように構成することも可能である。
【００６８】
なお、ホルダー１０を例えば図１に示したように縦向き中央に配置した場合に、左右の規制板１５同士の間隔を拡げて異なるサイズの放射線画像撮影装置Ｆを装填可能とする構成については、後で詳しく説明する。
【００６９】
［変形例２］
また、上記の実施形態では、図３（Ａ）等に示したように、放射線画像撮影装置Ｆをホルダー１０の第一の保持部１３に嵌め込み、放射線画像撮影装置Ｆにより第一の保持部１３やスライドベース１２を回転ベース１１に対して相対的に下方向に移動させることによって放射線画像撮影装置Ｆをホルダー１０に装填する場合について説明した。
【００７０】
しかし、本発明は、この場合に限定されず、例えば、図１や図３（Ａ）、（Ｂ）等に示したホルダー１０を左回りや右回りに９０°回転させた配置とし、放射線画像撮影装置Ｆを第一の保持部１３に嵌め込み、放射線画像撮影装置Ｆにより第一の保持部１３やスライドベース１２を回転ベース１１に対して相対的に右方向或いは左方向に移動させることによって放射線画像撮影装置Ｆをホルダー１０に装填するように構成した場合にも、本発明を適用することが可能である。
【００７１】
また、例えば、図１や図３（Ａ）、（Ｂ）等に示したホルダー１０を１８０°回転させて天地を逆にした配置とし、放射線画像撮影装置Ｆを第一の保持部１３に嵌め込み、放射線画像撮影装置Ｆにより第一の保持部１３やスライドベース１２を回転ベース１１に対して相対的に上方向に移動させることによって放射線画像撮影装置Ｆをホルダー１０に装填するように構成した場合にも、本発明を適用することが可能である。
【００７２】
しかし、例えば、図１のホルダー１０を向って左回りや右回りに９０°回転させた配置としたり、例えば、図１のホルダー１０を１８０°回転させて天地を逆にした配置とした状態で、放射線画像撮影装置Ｆを第一の保持部１３に嵌め込むようにして装填するように構成すると、装填時の放射線画像撮影装置Ｆの姿勢が不安定になる等して放射線画像撮影装置Ｆを落下させてしまう虞れがある。放射線画像撮影装置Ｆが落下すると、放射線技師等の足の上に落ちて放射線技師等がけがをしたり、或いは放射線画像撮影装置Ｆが床面に衝突して放射線画像撮影装置Ｆが故障する等の危険がある。
【００７３】
その点、上記の実施形態のように、放射線画像撮影装置Ｆをホルダー１０の上側から装填し（図３（Ａ）参照）、放射線画像撮影装置Ｆで第一の保持部１３を回転ベース１１に対して相対的に下方向に移動させるようにしてホルダー１０に装填するように構成することで、上記のように装填の際に放射線画像撮影装置Ｆを落下させる危険性をなくし、或いは的確に低減させることが可能となる。
【００７４】
［コネクター移動機構の変形例］
一方、上記のコネクター移動機構２０では、ホルダー１０の第一の保持部１３やスライドベース１２の回転ベース１１に対する上下方向の移動にあわせて、コネクター１６から背面側に突出させた雄ネジ部１６ｂすなわち突出部１６ｂを、ガイド板２１の第一開口部２２の周縁部に設けた傾斜部２２ａに沿って移動させることで、コネクター１６の左右方向への移動（すなわち退避と放射線画像撮影装置ＦのコネクターＣｆへの装着）を実現した。
【００７５】
しかし、コネクター１６を第一の保持部１３等の移動方向と直交する方向に移動させるためのコネクター移動機構２０の構成は、これに限定されず、第一の保持部１３等の移動方向と直交する方向へのコネクター１６の移動を可能とするものである限り、他の構成とすることも可能である。
【００７６】
具体的には、例えば図５の概略図に示すコネクター移動機構２０＊のように、例えば、第一の保持部１３やスライドベース１２にワイヤー３１の一端側を取り付け、例えば図示しない回転ベース１１の背面側等に設けられた滑車３２にワイヤー３１を掛ける等してワイヤー３１の方向を変え、ワイヤー３１の他端側を、支点３３を中心に揺動する可動部３４の一端側に固定する。そして、可動部３４の他端側にコネクター１６を取り付ける。
【００７７】
例えば、コネクター移動機構２０＊をこのように構成すると、図示しない放射線画像撮影装置Ｆを図示しないホルダー１０に装填する際に、第一の保持部１３やスライドベース１２が下方に押し下げられるとワイヤー３１が下方に引っ張られ、その力が可動部３４に伝わって可動部３４が支点３３を中心に揺動する。そのため、コネクター１６を自動的に右方向に移動させて退避させることが可能となる。
【００７８】
［ホルダーを回転させて放射線画像撮影装置の配置を変えることについて］
ところで、上記の実施形態に係る撮影台１では、前述したように、回転ベース１１を回転させることで、ホルダー１０および装填された放射線画像撮影装置Ｆを、回転ベース１１の中心点（すなわち長方形の回転ベース１１の２本の対角線の交点）を中心として回転させることができるようになっている。
【００７９】
具体的には、ホルダー１０を９０°回転させることで、ホルダー１０に装填された放射線画像撮影装置Ｆの配置を縦向き中央（Portrait。図３（Ｂ）や図１２参照）から横向き上方（Landscape top。図１３（Ａ）参照）に変えたり、ホルダー１０を逆向きに９０°回転させることで、ホルダー１０に装填された放射線画像撮影装置Ｆの配置を縦向き中央から横向き中央（Landscape center。図１３（Ｂ）参照）に変えることができるようになっている。以下、放射線画像撮影装置Ｆの配置を上記のように変えるための機構等について説明する。
【００８０】
図６は、撮影台１の引き出しトレイ４を背面側から見た図である。なお、図６においても、上記の図４（Ａ）、（Ｂ）の場合と同様に、図の左側や左方向が引き出しトレイ４やホルダー１０等の右側や右方向に対応し、図の右側や右方向が引き出しトレイ４やホルダー１０等の左側や左方向に対応する。すなわち、説明における左右と、図中における左右が逆になる。
【００８１】
なお、図示を省略するが、引き出しトレイ４の背面側の上下端の部分には、引き出しトレイ４をブッキー２から引き出したりブッキー２に押し込んで収納させるためのレール等が設けられている。また、この場合、ホルダー１０の配置は縦向き中央（Portrait）の配置になっている。
【００８２】
図６に示すように、この構成例では、引き出しトレイ４の略中央部分には、やや上下方向に延びた長丸穴の開口４ａが設けられており、ホルダー１０の回転ベース１１から背面側に円形に突出された突出部１１Ａが開口４ａに挿通されている。開口４ａがやや上下方向に延びた長丸穴とされている理由は、後述するように、回転ベース１１の突出部１１Ａが上方に移動する場合があるためである。そして、回転ベース１１の突出部１１Ａには、引き出しトレイ４の背面側から押さえ板４０が取り付けられている。
【００８３】
また、回転ベース１１の突出部１１Ａの端面上には、押さえ板４０の背面側を越えて引き出しトレイ４の背面側に延出される舌状部材４１が取り付けられている。そして、舌状部材４１の突出部１１Ａ側とは反対側の端部の前面側、すなわち引き出しトレイ４の背面と対向する面には、凸部４２が設けられている。なお、凸部４２は、舌状部材４１と一体的に設けられた突起状に形成されてもよく、ベアリングのように球体が自在に回転できるように保持された構造とされてもよい。凸部４２は、下記のスロット４３から抜け出ないように構成されていればよく、凸部４２の構造等は特に限定されない。
【００８４】
引き出しトレイ４の背面には、舌状部材４１の凸部４２に対応する位置にスロット４３が設けられた案内板４４が取り付けられている。この構成例では、厚みが数ｍｍの略Ｃ字状の案内板４４に略Ｃ字状の開口を設けておき、案内板４４を引き出しトレイ４の背面に貼付や螺着、溶着等により固定することによって、案内板４４にスロット４３が形成されるようになっている。なお、有底のスロット４３が予め形成された案内板４４を引き出しトレイ４の背面に固定するように構成してもよく、また、スロット４３を引き出しトレイ４に直接形成するように構成することも可能である。
【００８５】
そして、舌状部材４１の凸部４２が、この案内板４４のスロット４３に沿って移動可能に嵌め込まれている。また、回転ベース１１と上記の押さえ板４０とで引き出しトレイ４を前面側と背面側から挟むようにして、舌状部材４２を引き出しトレイ４の背面側に押し付けるように構成することで、舌状部材４１の凸部４２が案内板４４のスロット４３から抜け出さないようになっている。なお、引き出しトレイ４と押さえ板４０の間等にベアリングを設けるなど適宜構成される。
【００８６】
案内板４４のスロット４３は、上側と下側の構成が異なっている。スロット４３の上側部分４３ａは、図示しない回転ベース１１の中心点を中心とした円弧状（約１／４円）に形成されている。そのため、図６（図１や図３（Ｂ）等も参照）に示した縦向き中央（Portrait）の配置のホルダー１０を左回りに９０°（１／４回転）回すと、舌状部材４１の凸部４２がスロット４３の上側部分４３ａに沿って円弧上を上方に移動するため、ホルダー１０は、回転ベース１１の中心点を中心に回る状態になる。
【００８７】
すなわち、この場合は、回転ベース１１の中心点が移動しない状態でホルダー１０が左回りに９０°回転するため、回転後のホルダー１０の配置は、図７（Ａ）に示すように横向き中央（Landscape center）の配置になる。なお、図７（Ａ）や下記の図７（Ｂ）では、図１と同様に、撮影台１を前方から見た図が示されている。また、図７（Ａ）、（Ｂ）では放射線画像撮影装置Ｆがホルダー１０に装填された場合が示されている。
【００８８】
一方、スロット４３の下側部分４３ｂ（図６参照）は、前述した回転ベース１１の中心点を中心とする楕円の弧状（約１／４楕円）に形成されている。そして、回転ベース１１の中心点とスロット４３の下端の位置との距離が、回転ベース１１の中心点と舌状部材４１の凸部４２との距離よりも１．５インチ（＝（１７インチ−１４インチ）／２）短くなるような楕円状に形成されている。
【００８９】
そのため、図６等に示した縦向き中央（Portrait）の配置のホルダー１０を、今度は右回りに９０°（１／４回転）回すと、舌状部材４１の凸部４２がスロット４３の下側部分４３ｂに沿って楕円の弧上を下方に移動するため、ホルダー１０は、回転ベース１１の中心点が上方に移動するように回る状態になる。
【００９０】
すなわち、この場合は、回転ベース１１の中心点が上方に移動しながらホルダー１０が右回りに９０°回転するようになり、９０°回転した時点で、回転ベース１１の中心点が上方に移動に１．５インチ上昇した状態になる。そのため、突出部１１Ａや回転ベース１１が１．５インチ上方に移動し、ホルダー１０が１．５インチ上方に移動する。
【００９１】
そして、９０°回転して横向きになった放射線画像撮影装置Ｆの上側の側面（この場合は長辺側の側面）の位置（床面からの高さ）と、回転前の縦向き中央に配置されていた放射線画像撮影装置Ｆの上側の側面（この場合は短辺側の側面）の位置が同じ位置になる。そのため、この場合、回転後のホルダー１０の配置は、図７（Ｂ）に示すように横向き上方（Landscape top）の配置になる。
【００９２】
このように、この構成例では、スロット４３の形状を上側と下側とで異なる形状とすることで、ホルダー１０を回転させるだけで、放射線画像撮影装置Ｆの配置を、縦向き中央（Portrait。図１や図３（Ｂ）、図６参照）から、横向き中央（Landscape center。図７（Ａ）参照）の配置（左回りに回した場合。）に変えたり、横向き中央（Landscape top。図７（Ｂ）参照）の配置（右回りに回した場合。）に変えることができるようになっている。
【００９３】
そのため、放射線画像撮影装置Ｆの配置を非常に容易に変更することが可能となるとともに、放射線画像撮影装置Ｆの配置を変更する際に、放射線画像撮影装置Ｆをホルダー１０から取り外したり装填し直したりしなくて済むため、放射線画像撮影装置Ｆを落下させたり、放射線技師等の足の上に放射線画像撮影装置Ｆが落下して放射線技師等がけがをする等の事故が生じることを的確に防止することが可能となる。
【００９４】
なお、この場合、図示を省略するが、上記のようにして縦向き中央や横向き中央、横向き上方等に配置されたホルダー１０や放射線画像撮影装置Ｆが、各配置に精度良く留めるためのストッパーや、ホルダー１０や放射線画像撮影装置Ｆを回転させて配置を変える際にストッパーを解除するための機構等が適宜設けられる。
【００９５】
また、放射線画像撮影装置Ｆの配置を横向き上方（Landscape top）とした場合、仮に引き出しトレイ４の上方に配置された放射線画像撮影装置Ｆのさらに上側の側面にホルダー１０のコネクター１６が取り付けられている状態になると、引き出しトレイ４をブッキー２内に押し込んだ際にコネクター１６がブッキー２の開口部分に引っ掛かってしまい、放射線画像撮影装置Ｆをブッキー２内に収納することができなくなる。
【００９６】
しかし、上記のように、ホルダー１０を右回りに９０°回転させた場合に放射線画像撮影装置Ｆの配置が横向き上方になるように構成すると、図７（Ｂ）に示したように、放射線画像撮影装置Ｆの配置を横向き上方とした際に、引き出しトレイ４の上方に配置された放射線画像撮影装置Ｆの下側の側面にコネクター１６が取り付けられている状態になる。そのため、上記のような問題が生じることを的確に防止して、引き出しトレイ４をブッキー２内に押し込んで放射線画像撮影装置Ｆをブッキー２内に的確に収納することが可能となる。
【００９７】
［１７×１７インチの放射線画像撮影装置の装填について］
ところで、上記の実施形態や変形例では、撮影台１のホルダー１０に装填する放射線画像撮影装置Ｆが１４×１７インチの放射線画像撮影装置であることを前提に説明したが、１７×１７インチの放射線画像撮影装置Ｆが撮影に用いられることも少なくない。そのため、撮影台１のホルダー１０に、１４×１７インチの放射線画像撮影装置Ｆだけでなく１７×１７インチの放射線画像撮影装置Ｆも装填することができるように構成すると便利である。以下、そのための撮影台１の構成の具体例について説明する。
【００９８】
この場合、１４×１７インチの放射線画像撮影装置Ｆをホルダー１０に縦向き中央に装填した場合の放射線画像撮影装置Ｆの縦方向および横方向の中心線と、１７×１７インチの放射線画像撮影装置Ｆをホルダー１０に装填した場合の縦方向および横方向の中心線とが同じ位置になるように１７×１７インチの放射線画像撮影装置Ｆを装填することができるようにホルダー１０を変形できるように構成する必要がある。
【００９９】
その際、各放射線画像撮影装置Ｆの縦方向の長さは同じ（１７インチ）であるから、ホルダー１０の縦方向の位置関係、すなわち第一の保持部１３と第二の保持部１４との間隔等は変える必要はない。しかし、ホルダー１０の横方向の位置関係を変えなければならず、規制板１５やコネクター１６等の位置を左方向および右方向にそれぞれ１．５インチずつ移動させて、左右の規制板１５の間隔を３インチ（＝１７インチ−１４インチ）分拡げなければならない。
【０１００】
そのため、例えば、左右の規制板１５やコネクター１６等を、放射線技師等が手動で、回転ベース１１やスライドベース１２に対して左右方向にそれぞれ移動させたり、付け替えたりするように構成することが可能である。また、この構成例に係るホルダー１０では、左右の規制板１５やコネクター１６等の位置を容易かつ的確に移動させることを可能とする構成が採用されている。
【０１０１】
この構成例に係るホルダー１０では、上記と同様に回転ベース１１の前面側にスライドベース１２が配置されているが、図８に示すように、さらにスライドベース１２の前面側に、平板状の左トレイ１７Ａおよび右トレイ１７Ｂが左右方向に並設されている。そして、規制板１５や第一の保持部１３、コネクター１６は、上記のようにスライドベース１２に取り付けられる代わりに、左右のトレイ１７Ａ、１７Ｂに取り付けられている。
【０１０２】
すなわち、左トレイ１７Ａの左端上部および下端部に、左側の規制板１５および第一の保持部１３がそれぞれ取り付けられている。また、右トレイ１７Ｂの右端上部、下端部および右端下部に、右側の規制板１５、第一の保持部１３およびコネクター１６がそれぞれ取り付けられている。
【０１０３】
そして、左右のトレイ１７Ａ、１７Ｂは、回転ベース１１やスライドベース１２に対してそれぞれ左右方向に移動可能とされており、図示しないリンク機構により左右方向に同じ変位量だけ（ただし反対方向に）移動するようになっている。そして、図８に示したように、左右のトレイ１７Ａ、１７Ｂの一辺が当接する状態では、１４×１７インチの放射線画像撮影装置Ｆを装填することができ、また、左右のトレイ１７Ａ、１７Ｂを左右方向に移動させて規制板１５同士の間隔を拡げると、１７×１７インチの放射線画像撮影装置Ｆを装填することができるように構成することができる。
【０１０４】
なお、以下では、１４×１７インチの放射線画像撮影装置Ｆと１７×１７インチの放射線画像撮影装置Ｆとを装填することが可能な撮影台１について説明するが、この他にも、撮影台１を、例えば１１×１４インチ放射線画像撮影装置Ｆと１４×１４インチの放射線画像撮影装置Ｆとを装填することが可能なように構成することも可能であり、そのような場合にも同様に説明される。
【０１０５】
しかし、左右のトレイ１７Ａ、１７Ｂを回転ベース１１等に対してそれぞれ左右方向に移動可能とするだけでは、例えば１４×１７インチの放射線画像撮影装置Ｆをホルダー１０に装填した際に、左右のトレイ１７Ａ、１７Ｂがそれぞれ左右方向に移動して左右の規制板１５同士の間隔が開いてしまい、左右の規制板１５で、ホルダー１０に装填された放射線画像撮影装置Ｆの左右方向への移動を規制することができなくなってしまう虞れがある。
【０１０６】
そこで、この構成例では、左右のトレイ１７Ａ、１７Ｂは、回転ベース１１に対する左右方向の所定の位置でそれぞれ位置固定することができるようになっている。すなわち、左右のトレイ１７Ａ、１７Ｂは、少なくとも、左右の規制板１５同士の間隔が１４インチになる位置と１７インチになる位置でそれぞれ位置固定されるようになっている。
【０１０７】
そして、この構成例では、図８に示すように、上記のように左右のトレイ１７Ａ、１７Ｂを回転ベース１１に対する左右方向の所定の位置でそれぞれ位置固定するためのレバー１８Ａ、１８Ｂが、左右のトレイ１７Ａ、１７Ｂにそれぞれ設けられた第一の保持部１３に、或いはそれらの近傍にそれぞれ設けられている。そして、このようにレバー１８Ａ、１８Ｂを第一の保持部１３やその近傍に設けることで、放射線技師等が両手で左右の第一の保持部１３を把持する動作の中で、同時に左右の手の親指でレバー１８Ａ、１８Ｂをそれぞれ押し上げる等の操作を行うことが可能となる。
【０１０８】
そして、放射線技師等がレバー１８Ａ、１８Ｂを操作することで左右のトレイ１７Ａ、１７Ｂの位置固定を解除して、左右のトレイ１７Ａ、１７Ｂを左右方向に移動させることができるようになっている。すなわち、左トレイ１７Ａを左方向に、右トレイ１７Ｂを右方向にそれぞれ移動させることができるようになっている。また、放射線技師等が、左右のトレイ１７Ａ、１７Ｂを所定の位置に移動させた後、左右の第一の保持部１３を放すと、レバー１８Ａ、１８Ｂが自動的に下がり、左右のトレイ１７Ａ、１７Ｂがその位置で位置固定されるようになっている。以下、これを可能とする構成等の具体例について説明する。
【０１０９】
図９は、左トレイ１７Ａの第一の保持部１３やレバー１８Ａ等の部分を回転ベース１１の背面側から見た概略図である。なお、説明を省略するが、右トレイ１７Ｂのレバー１８Ｂ等の部分は、図９に示した構成と鏡像の関係になっており、左右方向が逆になること以外は、以下で説明する左トレイ１７Ａのレバー１８Ａ等と同様に説明される。また、レバー１８Ａ、１８Ｂは、左右のトレイ１７Ａ、１７Ｂが左右方向に移動するとそれとともに左右方向に移動するようになっている。さらに、レバー１８Ａ、１８Ｂは、回転ベース１１の背面側に上下方向に移動可能に取り付けられている。
【０１１０】
この構成例では、レバー１８Ａは、略Ｌ字状に形成されている。そして、レバー１８Ａの縦方向に延在する部分の下端部分を上記のように放射線技師等が親指で押し上げると、レバー１８Ａ全体が上方に移動する。また、レバー１８Ａは図示しないバネ等により下方に付勢されており、レバー１８Ａの下端部分の押し上げを解除すると（すなわち放射線技師等が第一の保持部１３から手を放すと）、レバー１８Ａ全体が下方に移動して元に戻るようになっている。
【０１１１】
また、レバー１８Ａの横方向に延在する部分の先端部分の前側（すなわち回転ベース１１の背面に向かう側）には突起１８ａが設けられており、突起１８ａは、回転ベース１１の背面に、いわば下向きのコ字状に設けられた穴１９に嵌め込まれている。そして、レバー１８Ａの突起１８ａは、穴１９に沿って移動できるようになっており、突起１８ａの移動に合わせてレバー１８Ａおよび左トレイ１７Ａが移動するようになっている。
【０１１２】
なお、図９に示す状態で、レバー１８Ａの突起１８ａが、穴１９の縦方向に延在する部分１９ａ（後述する縦方向に延在する部分１９ｃにおいても同様。）の下端部分に位置しておらず、穴１９の縦方向に延在する部分１９ａの中程に位置している理由は、上記のように回転ベース１１に対してスライドベース１２が下方に移動することが可能であり（図３（Ａ）参照）、それにあわせて左右のトレイ１７Ａ、１７Ｂも回転ベース１１に対して下方に移動する。そのため、左右のトレイ１７Ａ、１７Ｂとともに移動するレバー１８Ａ、１８Ｂが回転ベース１１に対してさらに下方に移動することができるようにするためである。
【０１１３】
左右のトレイ１７Ａ、１７Ｂの左右方向の移動は以下のようにして行われる。すなわち、図８に示したように、ホルダー１０に放射線画像撮影装置Ｆが装填されていない状態で、放射線技師等が、左右のトレイ１７Ａ、１７Ｂにそれぞれ設けられた第一の保持部１３を両手でそれぞれ把持する。そして、それと同時に、両手の親指でレバー１８Ａ、１８Ｂをそれぞれ押し上げるように操作すると、レバー１８Ａ、１８Ｂの突起１８ａが穴１９の縦方向に延在する部分１９ａに沿って上昇し、穴１９の左右方向に延在する部分１９ｂに沿って移動することができるようになる。すなわち、レバー１８Ａ、１８Ｂをそれぞれ押し上げるように操作することで、左右のトレイ１７Ａ、１７Ｂの位置固定が解除される。
【０１１４】
そして、この状態で、放射線技師等が把持した第一の保持部１３を左右方向に拡げるように動かすことで、図１０（Ａ）に示すように、左右のトレイ１７Ａ、１７Ｂが左右方向に容易に移動する。なお、この場合、レバー１８Ａ、１８Ｂの突起１８ａは、穴１９の横方向に延在する部分１９ｂ（図９参照）に係止されているため、仮に左右のトレイ１７Ａ、１７Ｂの左右方向への移動中に放射線技師等がレバー１８Ａ、１８Ｂから手を放しても、図１０（Ａ）に示すようにレバー１８Ａ、１８Ｂは下方には戻らない。
【０１１５】
そして、放射線技師等が左右のトレイ１７Ａ、１７Ｂをさらに左右方向に拡げるように移動させると、レバー１８Ａ、１８Ｂの突起１８ａが、穴１９の横方向に延在する部分１９ｂの左右の端部に到達するため、放射線技師等は、左右のトレイ１７Ａ、１７Ｂをそれ以上左右方向に拡げることができなくなる。
【０１１６】
そして、放射線技師等が第一の保持部１７Ａ、１７Ｂを放し、レバー１８Ａ、１８Ｂを押し上げる動作を止めると、穴１９の縦方向に延在する部分１９ｃ（図９参照）の上方にあったレバー１８Ａ、１８Ｂの突起１８ａが付勢力によって押し下げられて、穴１９の縦方向に延在する部分１９ｃの中程の位置に戻る。そのため、図１０（Ｂ）に示すように、レバー１８Ａ、１８Ｂが元の下方の位置に戻る。
【０１１７】
そのため、レバー１８Ａ、１８Ｂの突起１８ａは左右方向に動けなくなるため、レバー１８Ａ、１８Ｂや左右のトレイ１７Ａ、１７Ｂも左右方向に動けなくなる。このようにして、左右のトレイ１７Ａ、１７Ｂが図１０（Ｂ）に示した位置で位置固定される。なお、図１０（Ｂ）の状態から図８の状態に戻す場合も、上記と同様にしてレバー１８Ａ、１８Ｂを押し上げれば左右のトレイ１７Ａ、１７Ｂを近付けるように移動させることができることは改めて説明するまでもない。
【０１１８】
このように、レバー１８Ａ、１８Ｂが元の下方の位置にある場合（図８や図１０（Ｂ）参照）には、レバー１８Ａ、１８Ｂの突起１８ａは穴１９の縦方向に延在する部分１９ａや部分１９ｃにあるため、レバー１８Ａ、１８Ｂや左右のトレイ１７Ａ、１７Ｂは左右方向に移動できなくなる。そのため、上記の構成例では、放射線技師等がレバー１８Ａ、１８Ｂを押し上げない限り、左右のトレイ１７Ａ、１７Ｂはその場で位置固定されるようになる。この構成例では、このようにして、左右のトレイ１７Ａ、１７Ｂを、回転ベース１１に対する左右方向の所定の位置でそれぞれ位置固定することができるようになっている。
【０１１９】
そして、例えば図８の場合には左右の規制板１５同士の間隔が１４インチになるように構成し、図１０（Ｂ）の場合には左右の規制板１５同士の間隔が１７インチになるように構成すれば、左右のトレイ１７Ａ、１７Ｂを上記のようにして左右方向に移動させて位置固定可能とすることで、撮影台１のホルダー１０に、異なるサイズ（例えば１４×１７インチと１７×１７インチ）の放射線画像撮影装置Ｆを装填することが可能となる。
【０１２０】
以上のように、上記の構成を採用すれば、放射線技師等が、左右のトレイ１７Ａ、１７Ｂの各第一の保持部１３をそれぞれ両手で把持する動作の中で、同時にレバー１８Ａ、１８Ｂを親指で押し上げる等の操作を行うことが可能となるとともに、レバー１８Ａ、１８Ｂを操作した状態で把持した第一の保持部１３を左右方向に拡げたり近付けたりすることで、左右のトレイ１７Ａ、１７Ｂを容易に左右方向に移動させることが可能となる。
【０１２１】
また、それとともに、左右のトレイ１７Ａ、１７Ｂが回転ベース１１に対して所定の位置にある場合にはレバー１８Ａ、１８Ｂが元の下方の位置に戻り、左右のトレイ１７Ａ、１７Ｂが確実に位置固定される。そのため、放射線技師等は、左右のトレイ１７Ａ、１７Ｂを容易に移動させて確実に位置固定させた状態で、異なるサイズの放射線画像撮影装置Ｆをホルダー１０に装填することが可能となる。
【０１２２】
さらに、例えば１４×１７インチの放射線画像撮影装置Ｆをホルダー１０に装填した状態で、上記のようにホルダー１０を右回りや左回りに９０°回転させて横向き中央や横向き上方に配置した場合、左右のトレイ１７Ａ、１７Ｂが確実に位置固定されていないと、横向きの配置で下側になったトレイが放射線画像撮影装置Ｆの重さで下方に移動してしまい、放射線画像撮影装置Ｆを適切な位置に保持することができなくなる。
【０１２３】
しかし、この構成例では、上記のように、左右のトレイ１７Ａ、１７Ｂが回転ベース１１に対して所定の位置にある場合には的確に位置固定されるため、上記のような問題が発生することを的確に防止することが可能となる。
【０１２４】
また、上記のようにレバー１８Ａ、１８Ｂを左右２箇所に設けるとともに、前述したように左右のトレイ１７Ａ、１７Ｂが図示しないリンク機構により左右方向に同じ変位量だけ移動するように構成することで、仮に一方のレバーが誤って押し上げられた場合でも、他方のレバーが押し上げられなければ左右のトレイ１７Ａ、１７Ｂはいずれも左右方向に移動しないため、左右のトレイ１７Ａ、１７Ｂが誤って移動してしまい装填された放射線画像撮影装置Ｆがホルダー１０から脱落する等の事態が生じることを的確に防止することが可能となる。
【０１２５】
なお、上記のように、ホルダー１０に異なるサイズの放射線画像撮影装置Ｆを装填することができるようにするためにコネクター１６を左右方向に移動させるように構成する場合、前述したようにコネクター移動機構２０のガイド板２１（図４（Ａ）、（Ｂ））が回転ベース１１の背面に固定されていると、コネクター１６が左右方向に移動できなくなる。
【０１２６】
より正確に言えば、ガイド板２１が回転ベース１１の背面に固定されている場合にコネクター１６が左右方向に移動すると、図４（Ａ）に示したように、コネクター１６の雄ネジ部１６ｂがガイド板２１の第一開口部２２内でしか左右方向に移動できないため、コネクター１６も第一開口部２２の横幅分の距離しか移動できなくなる。
【０１２７】
そのため、少なくとも右トレイ１７Ｂも第一開口部２２の横幅分の距離しか左右方向に移動できなくなり、図１０（Ｂ）に示したように例えば１７×１７インチの放射線画像撮影装置Ｆを装填できるところまで右トレイ１７Ｂを右方向に移動させることができなくなる。なお、この構成例では、図示しないリンク機構により左右のトレイ１７Ａ、１７Ｂが左右方向に同じ変位量だけ移動できるようになっているため、この場合は左トレイ１７Ａも左方向に移動できなくなる。或いは第一開口部２２の横幅分しか左方向に移動できなくなる。
【０１２８】
そのため、上記のように構成する場合には、コネクター移動機構２０のガイド板２１を、右トレイ１７Ｂの左右方向への移動とともに左右方向に移動することができるように構成することが必要になる。そのため、この構成例では、ガイド板２１は回転ベース１１の背面には固定されないようになっている。
【０１２９】
また、図４（Ａ）、（Ｂ）に示すように、ガイド板２１には、左右方向に延在する直線状の第四開口部２７が設けられており、第四開口部２７には、回転ベース１１の背面から後方に突出する複数のピン１１ａがそれぞれ挿入されている。そのため、第四開口部２７と各ピン１１ａは相対的に左右方向にしか移動できなくなり、ガイド板２１は回転ベース１１に対して左右方向にのみ移動可能となる。なお、各ピン１１ａには、ガイド板２１が回転ベース１１から脱落しないようにするためにガイド板２１と係合する係合部１１ｂが設けられている。
【０１３０】
また、上記の実施形態では、図４（Ａ）、（Ｂ）に示したように、各ガイド孔１２ａや背面側に突設された突起１２ｂ、背面側に突設されたピン１２ｃ等が全てスライドベース１２に設けられているものとして説明したが、この構成例では、それらは全て右トレイ１７Ｂに設けられる。
【０１３１】
そのため、上記のように、右トレイ１７Ｂが右方向に移動すると、それとともにコネクター１６も右方向に移動する。そして、右トレイ１７Ｂの背面側に突設された各突起１２ｂや各ピン１２ｃが、右トレイ１７Ｂの右方向への移動によりガイド板２１の第二開口部２４や第三開口部２６の周縁部分を右側に押すため、ガイド板２１は、図１１に示すように右トレイ１７Ｂの移動にあわせて右方向に移動する。
【０１３２】
このように、この構成例では、右トレイ１７Ｂが左右方向に移動すると、ガイド板２１もそれにあわせて左右方向に移動するため、左右のトレイ１７Ａ、１７Ｂを左右方向に移動させる際にガイド板２１によって邪魔されることなく的確に移動させることが可能となり、ホルダー１０に異なるサイズの放射線画像撮影装置Ｆを的確に装填させることが可能となる。
【０１３３】
また、ホルダー１０に放射線画像撮影装置Ｆが装填される際に、第一の保持部１３が放射線画像撮影装置Ｆにより押し下げられ回転ベース１１に対して下方向に移動すると、スライドベース１２とともに左右のトレイ１７Ａ、１７Ｂも下方向に移動する。しかし、その際、回転ベース１１は下方向には移動せず各ピン１１ａも下方向には移動しないため、ガイド板２１も下方向には移動しない。また、スライドベース１２や左右のトレイ１７Ａ、１７Ｂが上方向に移動してもガイド板２１は上方向には移動しない。
【０１３４】
このように、ホルダー１０への放射線画像撮影装置Ｆの装填時に、スライドベース１２や右トレイ１７Ｂが上下方向に移動してもガイド板２１は上下方向には移動しないため、この構成例においても、上記の実施形態で説明したコネクター１６の着脱動作を実現することが可能となる。
【０１３５】
すなわち、ホルダー１０への放射線画像撮影装置Ｆの装填時に、第一の保持部１３が放射線画像撮影装置Ｆにより押し下げられると、コネクター１６が右方向（回転ベース１１に対する第一の保持部１３の相対的な移動方向に直交する方向）に移動して退避し、第一の保持部１３が付勢力により上方に移動すると、コネクター１６が左方向に移動して元の位置に戻り、放射線画像撮影装置ＦのコネクターＣｆと接続される。
【０１３６】
また、放射線画像撮影装置Ｆのホルダー１０からの取り外し時に、第一の保持部１３が放射線画像撮影装置Ｆにより押し下げられると、コネクター１６は右方向に移動して放射線画像撮影装置ＦのコネクターＣｆから取り外されると同時に退避する。そして、この状態で放射線画像撮影装置Ｆを第一の保持部１３から上方に引き抜くことで、コネクター１６が放射線画像撮影装置Ｆの引き抜きを邪魔しない状態で、放射線画像撮影装置Ｆをホルダー１０から取り外すことが可能となるといった上記の実施形態で説明したコネクター１６の着脱動作を実現することが可能となる。
【０１３７】
なお、本発明が上記の実施形態や変形例、構成例等に限定されず、本発明の趣旨を逸脱しない限り、適宜変更可能であることは言うまでもない。また、本実施形態に係る撮影台１に、前述したＣＲカセッテを装填して撮影を行うことができるように構成することも可能であることは、改めて説明するまでもない。
【符号の説明】
【０１３８】
１  撮影台
１０  ホルダー
１１  回転ベース（ベース部）
１３  第一の保持部
１４  第二の保持部
１５  規制板
１６  コネクター（ホルダー側のコネクター）
１６ｂ  雄ネジ部（突出部）
１７Ａ  左トレイ
１７Ｂ  右トレイ
１８Ａ、１８Ｂ  レバー
２０、２０＊  コネクター移動機構
２１  ガイド板
２２  第一開口部（開口部）
２２ａ  傾斜部（傾斜した周縁部）
Ｃｆ  放射線画像撮影装置のコネクター
Ｆ  放射線画像撮影装置
ｆ  筐体
【図１】
2016112153.tif 000003
【図２】
2016112153.tif 000004
【図３】
2016112153.tif 000005
【図４】
2016112153.tif 000006
【図５】
2016112153.tif 000007
【図６】
2016112153.tif 000008
【図７】
2016112153.tif 000009
【図８】
2016112153.tif 000010
【図９】
2016112153.tif 000011
【図１０】
2016112153.tif 000012
【図１１】
2016112153.tif 000013
【図１２】
2016112153.tif 000014
【図１３】
2016112153.tif 000015